(57)【特許請求の範囲】
【請求項１】
分岐管を接続する接続管部が形成され、複数に分割されたケースを流体管の外周面に装着し、前記接続管部に連通する分岐孔を流体管に穿設すると共に、前記ケースと流体管との間に、分岐孔に沿って開口部が設けられたシート状弾性パッキンが、流体管を全周にわたって被覆するよう装着され、少なくとも開口部の周辺を接続管部の基部に水密に取り付けて流体管からの漏水を防止した分岐管接続用管継手であって、
前記パッキンには、周囲に流体管の外周面に水密に当接するよう流体管の管軸方向の両端に設けられた第１止水部および流体管の円周方向の両端に設けられた第２止水部を有し、
前記第２止水部のそれぞれの外側がテーパ面に形成されていると共に、前記ケースの対向するフランジの少なくとも流体管側が隙間なく当接するように形成され、前記接続管部が形成されていないケースの内側には、前記第２止水部を入れるテーパ状溝部が設けられており、
前記ケースが流体管に取り付けられるときに前記ケースのフランジの流体管側が当接し、かつ前記テーパ状溝部のテーパ面で前記第２止水部同士の対向面を押圧し当接させることを特徴とする分岐管接続用管継手。
【請求項２】
前記パッキンの止水部には、流体管の内圧によって流体管の外面に密着するリップ部が設けられている請求項１に記載の分岐管接続用管継手。
【請求項３】
前記パッキンの開口部周辺に、分岐孔方向に突出した先細りのテーパ状のリップ部が形成された止水部を設けている請求項１または２に記載の分岐管接続用管継手。
【発明の詳細な説明】
【０００１】
【発明の属する技術分野】
本発明は、流体管に分岐管を接続する管継手であって、分岐管を接続する接続管部が設けられたケースを流体管に装着し、接続管部の分岐管側より挿入したカッターにより流体管に穿孔したのちに、前記接続管部に分岐管を接続する分岐管接続用管継手に関する。
【０００２】
【従来の技術】
流体管に分岐管を接続する管継手として、図７に示すような割Ｔ字管が知られている。この従来の割Ｔ字管Ａは、流体管Ｐの外周部から互いに連結、分解可能なボルト孔を形成したフランジが設けてあるケースＢ、Ｃと、分岐管が接続されるフランジＤ１が端部に形成された接続管部Ｄとからなる。ケースＢには、接続管部Ｄが挿入される枝管部Ｅが突出形成され、その先端にはボルト孔が設けられたフランジＥ１が一体に形成されている。
【０００３】
接続管部ＤのフランジＤ１には、分岐管のフランジのボルト孔と整合するボルト孔Ｄ２が孔設されるとともに、前記枝管部ＥのフランジＥ１のボルト孔に貫通するボルトＤ３が立設されている。接続管部Ｄは円筒部が枝管部Ｅ内に挿入され、ボルトＤ３がフランジＥ１のボルト孔を貫通してナットＤ４、Ｄ５で固定されている。断面が円形のパッキンＦは、リング状に形成されており、枝管部Ｅの内周面の基部に取り付けられている。
【０００４】
この割Ｔ字管Ａは次のようにして流体管Ｐに設置される。まず、流体管Ｐの所定位置の外周面にケースＢ，Ｃを外嵌し、フランジ同士をボルト・ナットで締め付けて設置する。
【０００５】
次に、ナットＤ５を緩め、各ナットＤ４を均等に回して接続管部Ｄを流体管Ｐ側に移動させ、パッキンＦを接続管部Ｄの円筒部の端部で流体管Ｐ外周面に圧着させる。パッキンＦの圧着後にナットＤ５を回しナットＤ４とでフランジＥ１を挟み込んで接続管部ＤをケースＢに固定する。
【０００６】
設置がすんだ割Ｔ字管Ａの接続管部ＤのフランジＤ１に穿孔機を取り付けて、カッターを流体管Ｐ側に送り出し、回転させながら流体管Ｐを穿孔する。次にカッターを穿孔機に引き戻し、切断片を回収して、穿孔機をフランジＤ１より取り外し、分岐管を接続して作業を終了する。
【０００７】
流体管Ｐに通水しながら分岐管を接続する場合は、接続管部ＤのフランジＤ１に仕切弁を取り付けて一般に知られている不断水穿孔工事を行い、穿孔後に分岐管を仕切弁に接続することにより行われる。
【０００８】
【発明が解決しようとする課題】
前記従来の割Ｔ字管は、水密性を維持するためにパッキンを接続管部で圧接する構造なので、流体管に取り付ける際に接続管部を移動させる行為が必要であり、作業性が悪かった。また、パッキンを流体管外周面に強く押し付けて止水するので、応力緩和がおこるポリエチレン管等の軟質合成樹脂製の流体管に対しては使用することができないという問題があった。
【０００９】
本発明が解決しようとする課題は、上記問題を解決するためになされたもので、流体管への取り付け作業が容易で、応力緩和が発生するような軟質合成樹脂製の流体管にも使用することができる分岐管接続用管継手を提供する点にある。
【００１０】
【課題を解決するための手段】
上記課題を解決するために、本発明の分岐管接続用管継手は、分岐管を接続する接続管部が形成され、複数に分割されたケースを流体管の外周面に装着し、前記接続管部に連通する分岐孔を流体管に穿設すると共に、前記ケースと流体管との間に、分岐孔に沿って開口部が設けられたシート状弾性パッキンが、流体管を全周にわたって被覆するよう装着され、少なくとも開口部の周辺を接続管部の基部に水密に取り付けて流体管からの漏水を防止した分岐管接続用管継手であって、
前記パッキンには、周囲に流体管の外周面に水密に当接するよう流体管の管軸方向の両端に設けられた第１止水部および流体管の円周方向の両端に設けられた第２止水部を有し、
前記第２止水部のそれぞれの外側がテーパ面に形成されていると共に、前記ケースの対向するフランジの少なくとも流体管側が隙間なく当接するように形成され、前記接続管部が形成されていないケースの内側には、前記第２止水部を入れるテーパ状溝部が設けられており、
前記ケースが流体管に取り付けられるときに前記ケースのフランジの流体管側が当接し、かつ前記テーパ状溝部のテーパ面で前記第２止水部同士の対向面を押圧し当接させることを特徴としている。
本発明によれば、流体管を被覆するシート状弾性パッキンの、少なくとも分岐孔に沿って設けられた開口部の周辺がケース内側の接続管部の基部に水密に取り付けられているため、ケースを流体管に取り付けることによってシート状弾性パッキンが開口部を除いて流体管の表面に圧接されるので、水密性を保持しつつ開口部を通じて分岐孔より分岐管側に流体を通水することができる状態で分岐管接続用管継手を設置することができる。したがって、従来のように別体となっている接続管部で止水パッキンを流体管に押し付ける作業が不要となり取付作業が簡素化されるとともに、シート状弾性パッキンが流体管の外周面に当接して面で止水しているので、流体管に部分的な変形が生じても漏水することがなく、軟質合成樹脂管に対しても使用することができる。
【００１１】
前記パッキンは、周囲に流体管の外周面に水密に当接する止水部が形成されているので、シート状部での止水に加え、開口部を囲む周辺の止水部で止水することができ、止水性能が向上する。
【００１２】
前記接続管部が形成されていないケースの内側には、テーパ状溝部が設けられており、ケースが流体管に取り付けられるときにパッキンの第２止水部をケースのテーパ状溝部に入れ、該テーパ状溝部のテーパ面で第２止水部同士の対向面を押圧し当接させるので、流体管を被覆したパッキンが、ケースによって全周にわたって覆われるため、流体管内圧によるシート状弾性パッキンの膨出を防ぐことができる。
【００１３】
前記パッキンの止水部には、流体管の内圧によって流体管の外面に密着するリップ部が設けられているのが好ましい。
このようにすると、流体管内圧によってリップ部が流体管外周面に密着するので止水性能が向上する。また、パッキンを過剰に流体管へ押し付けることがないので軟質合成樹脂製の流体管に使用することが可能となる。
【００１４】
前記パッキンの開口部周辺に、分岐孔方向に突出した先細りのテーパ状のリップ部が形成された止水部を設けているのが好ましい。
このようにすると、変形しやすい流体管の分岐孔周辺にリップ部が形成された止水部が形成されているので、流体管の変形などによりケースと流体管との距離が開いた場合でも、パッキンと流体管外周面が接触してケースと流体管の水密性が確保される。
【００１５】
【発明の実施の形態】
以下、本発明の実施例を図面に基づいて説明する。
【００１６】
図１ないし図３は、本発明の分岐管接続用管継手のケース２を、布設されているポリエチレン製やダクタイル鋳鉄製等の流体管１の外周面に水密性を保持して装着されている第１実施例を示している。ケース２は、ダクタイル鋳鉄製で、径方向に２分割可能なＴ字体２ａとカバー体２ｂとからなり、対向面にフランジ２ｃ、２ｃが形成されてボルト・ナットで締結されている。Ｔ字体２ａとカバー体２ｂそれぞれのフランジ２ｃ、２ｃの流体管１側は隙間なく当接するように形成されている。ケース２は２分割に限らず３分割や４分割などであってもよい。
【００１７】
Ｔ字体２ａには、流体管１に対してほぼ直交する方向を向く接続管部３が一体に設けられており、その接続管部３の先端には分岐管を接続するフランジ３ａが形成されている。
【００１８】
ケース２の両端部には、流体管１とケース２との相対移動を防止する移動防止装置４が取り付けられている。移動防止装置４は、径方向に２分割されており、ボルト・ナットにより一体される、ケース２に移動不可に取り付ける割押輪４ａと、外面にテーパ面が形成され、内面に流体管１の外周面に食込む刃が形成された締付具４ｂとで構成されている。割押輪４ａは、ケース２の両端部に突出形成された凸状片に係合することによりケース２と一体に取り付けられる。
【００１９】
Ｔ字体２ａの内面で接続管部３の基部には、流体管１に孔設された分岐孔１ａに沿って形成されたパッキン５の開口部５ｂの周囲が水密に接着固定されている。流体管１の分岐孔１ａ周辺の外周面には、パッキン５が密着するようにケース２で取り付けられる。
【００２０】
パッキン５は図４、図５に示すように、長方形のシート状本体５ａと、その周囲の管軸方向の両端部に設けられた第１止水部５ｃ、径方向の両端部に設けられた第２止水部５ｄとで構成され、それぞれの止水部５ｃ、５ｄには、流体管１の外周面に密着するリップ部５ｅが形成されている。第１止水部５ｃには、内水圧用及び外水圧用の２つのリップ部５ｅ、５ｅが設けられている。パッキン５のほぼ中央には分岐孔１ａに沿った開口部５ｂが形成されている。
【００２１】
パッキン５を筒状に丸めた状態で対向する第２止水部５ｄ、５ｄ同士は、その外側にテーパ面５ｆが形成されており、カバー体２ｂの内側に設けられたテーパ状溝部２ｄにより、カバー体２ｂが流体管１に取り付けられるときに第２止水部５ｄ、５ｄの対向面が水密に当接し、さらに流体管１に密接して取り付けられる形状に形成されている。
【００２２】
第１止水部５ｃの外周で、フランジ２ｃ、２ｃの当接面に位置する部分には固定片５ｇが突出形成されており、流体管１にケース２を取り付けるときにフランジ２ｃ、２ｃで挟み込みパッキンの移動を防止する。フランジ２ｃの対向する面には固定片２ｇを嵌合する凹部が形成されている。
【００２３】
本発明の分岐管接続用管継手であるケース２を用いて流体管１に分岐管（図示していない）を接続するには、次のようにして行われる。
【００２４】
まず、接続管部３の基部に開口部５ｂの周囲を水密に接着固定したパッキン５が装着されているＴ字体２ａを流体管１の所定位置に設置し、パッキン５を流体管１に被覆するように筒状に丸めて第２止水部５ｄ、５ｄ同士を突合せ、Ｔ字体２ａの反対側よりカバー体２ｂをテーパ状溝部２ｄに第２止水部５ｄ、５ｄが入るように設置して、Ｔ字体２ａ、カバー体２ｂのフランジ２ｃ、２ｃ同士をボルト・ナットで締結して流体管１にケース２を装着する。
【００２５】
ケース２両端部の流体管１の外周に、締付具４ｂを外嵌し、締付具４ｂの刃を流体管１に食込ませるようにして、ケース２端部の係合片に係合させながら割押輪４ａを取り付ける。
【００２６】
つぎに、接続管部３のフランジ３ａに図示していない穿孔機を取り付け、円筒形のカッターを回転させながら前進させ、パッキン５の開口部５ｂを介して流体管１に分岐孔１ａを穿孔する。そして、カッターを後退させて、切片を回収した穿孔機が撤去された接続管部３のフランジ３ａに分岐管を接続して作業は終了する。
【００２７】
流体管１に通水した状態で分岐管を接続するには、接続管部３のフランジ３ａに仕切弁を接続した後、仕切弁に穿孔機を取り付け、仕切弁の開閉を伴った上記作業を実行することによって行われる。
【００２８】
パッキン５のシート状本体５ａは、ケース２の内周面によって流体管１の外周に密着して取り付けられて止水する。また、管軸方向の両端部に設けられた第１止水部５ｃ、円周方向の両端部に設けられた第２止水部５ｄがそれぞれのリップ部を介して流体管１の外周に水密に装着されており、シート状本体５ａ、第１止水部、第２止水部で分岐孔１ａを包囲しているので２重の止水部分を持って分岐管接続用管継手が取り付けられ止水に対する安全性が向上する。
【００２９】
開口部５ｂの周辺がＴ字体２ａ内側の接続管部３の基部に水密に取り付けられているため、ケース２を流体管１に取り付けることによってパッキン５が開口部を除いて流体管１の表面に圧接されるので、水密性を保持しつつ開口部５ｂを通じて分岐孔１ａより分岐管側に流体を通水することができる状態で分岐管接続用管継手を設置することができ、また、ケース２の内面が流体管１の流水等に接触することがなくなり、内面の防食塗装を省略することができる。
【００３０】
図６は、本発明の第２実施例を示す、パッキン５の開口部５ｂに第３止水部６を設けた接続管部３の基部の部分拡大断面図である。
【００３１】
第３止水部６が開口部５ｂの周囲に連続的に設けられ、リップ部６ａ、６ｂが分岐孔１ａを向いて形成されている。外方向に突出して設けられた第３止水部６の外周の４箇所に第３止水部６の移動を防止する係合片６ｃが突出形成さている。係合片６ｃは、流体管１の管軸方向および管軸直角方向の４ヶ所に設けられているが、６ヶ所や８ヶ所あるいは連続的に設けてもよい。
【００３２】
Ｔ字体２ａの接続管部３の基部内面には、第３止水部６が嵌合される取付段部３ｂと、係合片６ｃが嵌合される係合凹部３ｃとが設けられている。係合凹部３ｃは、係合片６ｃを圧縮して嵌合する大きさに形成されて容易に外れないようになっている。
【００３３】
第３止水部６が取付段部３ｂに、係合片６ｃおよび係合凹部３ｃによって移動できないように、かつ、リップ部６ａが流体管１に、リップ部６ｂがＴ字体２ａに水密に取り付けられているので、流体管とケースが相対移動した場合でも安定した水密性が保たれる。
【００３４】
リップ部６ａ、６ｂが、シート状本体５ａの第３止水部６より突出し、それぞれの外面が流体管１の外周面、取付段部３ｂに当接するように形成されているので、図６に示すように流体管１の内圧Ｐをリップ部６ａ、６ｂの内面が受け、両リップ部６ａ、６ｂの外面が流体管１の外周面、取付段部３ｂに押し付けられるので確実に止水することが出来る。
【００３５】
パッキン５の自然状態でリップ部６ａが流体管１方向に大きく突出するように形成しておくと、ケース２を流体管１に取り付けたあとに流体管１が変形して、ケース２と流体管１の距離が開いた場合でもリップ部６ａが流体管１の外周面に接触し止水することができる。
【００３６】
流体管１がポリエチレン等の軟質合成樹脂管であった場合でも、リップ部６ａ、６ｂが、第３止水部６との基部で曲がるので過度の応力を与えることがないので本発明の分岐管接続用管継手を使用することができる。
【００３７】
以上、本発明の実施例を図面により説明してきたが、本発明の具体的な構成はこれに限定されるものではない。
【００３８】
例えば、第２実施例では、第３止水部に係合片が突出形成され、取付段部に係合凹部が形成されていたが、取付段部に係合片を突出形成し、第３止水部に係合凹部を形成してもよい。また、係合片及び係合凹部は、連続的に形成されていてもよい。
【００３９】
【発明の効果】
本発明によれば、流体管を被覆するシート状弾性パッキンの、少なくとも分岐孔に沿って設けられた開口部の周辺がケース内側の接続管部の基部に水密に取り付けられているため、ケースを流体管に取り付けることによってシート状弾性パッキンが開口部を除いて流体管の表面に圧接されるので、水密性を保持しつつ開口部を通じて分岐孔より分岐管側に流体を通水することができる状態で分岐管接続用管継手を設置することができる。したがって、従来のように別体となっている接続管部で止水パッキンを流体管に押し付ける作業が不要となり取付作業が簡素化されるとともに、シート状弾性パッキンが流体管の外周面に当接して面で止水しているので、流体管に部分的な変形が生じても漏水することがなく、軟質合成樹脂管に対しても使用することができる。
【００４０】
また、シート状部での止水に加え、開口部を囲む周辺の止水部で止水することができるので止水性能が向上する。
【００４１】
また、流体管を被覆したパッキンが、ケースによって全周にわたって覆われるため、シート状弾性パッキンの流体管内圧によっての膨出を防ぐことができる。
【００４２】
請求項２の発明によれば、リップ部が形成されているので止水性能が向上する。また、軟質合成樹脂製の流体管に使用することが可能となる。
【００４３】
請求項３の発明によれば、流体管の変形などによりケースと流体管との距離が開いた場合でも、止水部のリップ部が分岐孔方向に突出した形成されているのでパッキンと流体管外周面が接触してケースと流体管の水密性が確保される。
【図面の簡単な説明】
【図１】本発明の第１実施例における側面図である。
【図２】同じく、一部破断平面図である。
【図３】同じく、I−I線に沿う断面図である。
【図４】同じく、パッキンの（ａ）は平面図、（ｂ）は一部破断側面図である。
【図５】同じく、パッキンを円筒状にした状態の一部破断平面図である。
【図６】本発明の第２実施例における取付段部の部分拡大断面図である。
【図７】従来例における、（ａ）は平面図、（ｂ）は正面図、（ｃ）はIV−IV断面図である。
【符号の説明】
１        流体管
１ａ      分岐孔
２        ケース
２ａ      Ｔ字体
２ｂ      カバー体
２ｃ      フランジ
２ｄ      テーパ状溝部
３        接続管部
３ａ      フランジ
３ｂ      取付段部
３ｃ      係合凹部
４        移動防止装置
４ａ      割押輪
４ｂ      締付具
５        パッキン（シート状弾性パッキン）
５ａ      シート状本体
５ｂ      開口部
５ｃ      第１止水部
５ｄ      第２止水部
５ｅ      リップ部
５ｆ      テーパ面
５ｇ      固定片
６        第３止水部
６ａ      リップ部
６ｂ      リップ部
６ｃ      係合片
【図１】
0004492836.tif 000002
【図２】
0004492836.tif 000003
【図３】
0004492836.tif 000004
【図４】
0004492836.tif 000005
【図５】
0004492836.tif 000006
【図６】
0004492836.tif 000007
【図７】
0004492836.tif 000008